(57)【要約】【課題】  準備や組み立て等に関する負担が少なく、また家具と間仕切りとのサイズが合わないという不都合が発生しない、好ましい仮設家具を提供する。【解決手段】  間仕切り付きベッド１は、非常時の使用に適した仮設家具であって、間仕切りと家具とが、ともに段ボール製で一連に構成されている。全体を平面状に折り畳むことができるとともに、折り畳まれた状態から立体絵本のように開いて立体化することにより、床上に自立する間仕切り付きの家具にすることができる。【選択図】  図１
2020075557.tif 000002
【特許請求の範囲】
【請求項１】
非常時の使用に適した仮設家具であって、
間仕切りと家具とが、ともに段ボール製で一連に構成されていて、
全体が平面状に折り畳まれ得るとともに、折り畳まれた状態から開かれて立体化することにより、床上に自立する間仕切り付きの家具になる
ことを特徴とする仮設家具。
【請求項２】
折り曲げ部をはさんで連結された段ボール製の複数の平板により一連に構成され、
上記複数の平板のうち、間仕切りとなる間仕切り構成板が、折り曲げ部で折り曲げられることにより平面状に折り畳まれた状態で、家具となる家具構成板も、折り曲げ部で折り曲げられることにより平面状に折り畳まれて間仕切り構成板に重ねられ、
上記の間仕切り構成板が開かれて間仕切りを構成した状態で、当該間仕切りが床上に自立するとともに、平面状に重なっていた家具構成板が立体化して家具を構成し得る
ことを特徴とする請求項１に記載の仮設家具。
【請求項３】
折り曲げ部をはさんで連結された複数枚の間仕切り構成板のいずれかに、
上記家具構成板のうち家具の支持脚となる支持脚構成板と、家具の座板として支持脚上に載る座板構成板とが、それぞれ折り曲げ部をはさんで折り畳まれ得るように連結されている
ことを特徴とする請求項２に記載の仮設家具。
【請求項４】
上記の支持脚構成板は、間仕切り構成板のいずれかに対し、当該間仕切り構成板と平行な板と、当該間仕切り構成板から当該平行な板につながる複数の平行な連結板とが、平行運動機構をなすように連結されていて、
上記の座板構成板は、間仕切り構成板のいずれかに対し、当該間仕切り構成板の表面に重なる状態から、当該間仕切り構成板と直角な状態に角度変化できるように連結されている
ことを特徴とする請求項３に記載の仮設家具。
【請求項５】
間仕切り構成板が、１枚の側壁板と、折り曲げ部をはさんで側壁板の両側に連結された前壁板および後壁板とを有し、
上記の前壁板および後壁板の、折り曲げられた状態で内側となる各面に、上記の支持脚構成板が連結され、折り曲げられた状態で上記側壁板の内側となる面に、上記の座板構成板が連結されていて、
間仕切り構成板が上記各折り曲げ部の挟角を９０°にして開かれたとき、上記の各支持脚構成板が上記の前壁板および後壁板の内側で開かれて側壁板の側方で立体化するとともに、それらの支持脚構成板の上に上記座板構成板が載せられることにより、間仕切り付きのベッドが形成される
ことを特徴とする請求項３または４に記載の仮設家具。
【請求項６】
上記支持脚構成板の上に載せられた上記座板に高身長の利用者が横たわったときその利用者が足を伸ばせるよう、上記の前壁板または後壁板に、足を出せる開口を形成することを可能にする切り取り線が設けられていることを特徴とする請求項５に記載の仮設家具。
【請求項７】
間仕切り構成板と家具構成板とが、平面状に折り畳まれた状態で段ボール製のケースに収容され、
当該ケースには、収容物を取り出すために一部を帯状に分離することを可能にする切り取り線が設けられ、
その切り取り線にて分離された帯状の一部が、巻き付けられることにより利用者の枕として使用され得るとともに、当該一部が分離された上記のケースが、上記の座板上に敷かれることにより敷き具として使用され得ること
を特徴とする請求項５または６に記載の仮設家具。
【請求項８】
上記の前壁板および後壁板の上記内側となる各面に上記の支持脚構成板が連結され、それら支持脚構成板に、上縁部から下方へ延びたスリットが形成されていて、
間仕切り構成板が上記各折り曲げ部の挟角を９０°にして開かれるとともに、上記の支持脚構成板が上記の前壁板および後壁板の内側で開かれたとき、支持脚構成板における上記のスリットに、下縁部から上方へ延びたスリットを有する補強板が挿入されて支持脚構成板と結合されることを特徴とする請求項５〜７のいずれかに記載の仮設家具。
【請求項９】
上記補強板のうち１枚以上が、上記前壁板の上記内側に連結された支持脚構成板と上記後壁板の上記内側に連結された支持脚構成板とにまたがって結合されることを特徴とする請求項８に記載の仮設家具。
【請求項１０】
上記の支持脚構成板の上に載せられる上記座板構成板が、長さ方向の中ほどで分割されていることを特徴とする請求項５〜９のいずれかに記載の仮設家具。
【請求項１１】
間仕切り構成板が、４枚の壁板が折り曲げ部をはさんで連結されたものであり、各折り曲げ部の挟角を９０°にし、両端にある壁板の外側縁部同士を接続することにより四方囲みの間仕切りを構成でき、
いずれかの壁板における上記間仕切りの内側となる面に上記の支持脚構成板と穴付きの座板構成板とが連結されていて、当該支持脚構成板が立体的に開かれるとともにその上に上記座板構成板が載せられることにより、間仕切り付きのトイレが形成される
ことを特徴とする請求項３または４に記載の仮設家具。
【発明の詳細な説明】
【技術分野】
【０００１】
本発明は、災害発生時の避難所等における非常時の使用に適した、ベッドやトイレ等を含む仮設家具に関するものである。
【背景技術】
【０００２】
地震や台風等の災害が発生したとき、学校の体育館等が避難所として使用される。そうした避難所では、避難者のプライバシーを保護するために間仕切り（囲い）が設けられ、また、応急的にベッドやトイレ等の仮設の家具が設置される。【０００３】
避難所等で非常時に使用される仮設家具として、段ボール製のベッド等が設置されることがある。段ボールは、軽量で低コストであるうえに断熱性があり、また、人の体重を支える程度の強度をもたせることも難しくないので、ベッドのほか、衣裳ケースや机等として構成される例がある。また、間仕切りとしても段ボールがしばしば使用される。【０００４】
非常時の使用に適した段ボール製のベッドおよび間仕切りについては、下記の特許文献１・２等に記載がある。これらに記載のベッドや間仕切り（ついたて）は、段ボール製のものであって上記のとおり避難所での使用に適しているほか、組み立てまたは折り畳みが可能であるため、災害が未発生の間（つまり避難者の利用に供しないうち）はコンパクトな状態で保管することができる。
【先行技術文献】
【特許文献】
【０００５】
【特許文献１】実用新案登録第3137572号公報
【特許文献２】特開2009-18102号公報
【発明の概要】
【発明が解決しようとする課題】
【０００６】
特許文献１・２には、仮設家具として使用されるベッドと、間仕切りとなるついたてとが、それぞれ独立した単体のものとして示されている。しかし、これらのように家具と間仕切りとが別々のものであると、それぞれを過不足なく準備する必要があって手配が面倒であるほか、それぞれを組み立てる負担も少なくない。また、両者のサイズの不適合、すなわち、ベッド等の家具の寸法が、ついたて等の間仕切りが区切るスペースに合わないという不都合も生じがちである。【０００７】
本発明は、準備や組み立て等に関する上記のような負担が少なく、また家具と間仕切りとのサイズが合わないという不都合が発生しない、きわめて好ましい仮設家具を提供するものである。
【課題を解決するための手段】
【０００８】
本発明の仮設家具は、非常時の使用に適した仮設家具であって、間仕切りと家具とが、ともに段ボール製で一連（ひとつながり）に構成されていて、全体が平面状に折り畳まれ得るとともに、折り畳まれた状態から開かれて立体化することにより、床上に自立する間仕切り付きの家具にされ得ることを特徴とする。【０００９】
このような仮設家具には、つぎのような利点がある。すなわち、
a)  間仕切りと家具とが一連に構成されているため、この仮設家具があれば、避難者等が避難所等での生活に使用できるとともに、避難者間のプライバシーが保たれる。
b)  段ボール製であるため、軽量で低コストであるうえ、断熱性にも優れていて冬季にも比較的暖かく使用できる。リサイクルができるなど環境保護（エコロジー）の面でも好ましい。また、必要な強度をもたせることも難しくない。
c)  避難所等として指定された施設に、平面状に折り畳まれた状態でコンパクトに保管できるとともに、使用の際には、立体絵本と同様に開いて立体化することにより簡単に間仕切り付きの家具にすることができる。
d)  間仕切りと家具とが一連に構成されているため、避難所等となる施設において手配し準備することが容易で、災害発生時等に使用状態にすることも簡単である。家具と間仕切りとの間でサイズが不適合となる恐れがない。【００１０】
上記発明の仮設家具は、
・  折り曲げ部をはさんで連結された段ボール製の複数の平板により一連に構成され、
・  上記複数の平板のうち、間仕切りとなる間仕切り構成板が、折り曲げ部で折り曲げられることにより平面状に折り畳まれた状態（つまり平行に重なり合った状態）で、家具となる家具構成板も、同様に折り曲げ部で折り曲げられることにより平面状に折り畳まれて間仕切り構成板に重ねられ、
・  上記の間仕切り構成板が開かれて間仕切りを構成した状態で、当該間仕切りが床上に自立するとともに、平面状に重なっていた家具構成板が立体化して（つまり、折り曲げ部の曲げ角度の変更で三次元の連結状態となって）家具を構成し得る
ものであると好ましい。
図１〜図４に例示する仮設家具もそのように構成したものであり、たとえば図１（ａ）のように、間仕切り構成板１２・１３および家具構成板２１のそれぞれは、折り曲げ部Ｂをはさんで連結された複数の段ボール製の平板Ａによって一連に構成されている。間仕切り構成板が平面状に折り畳まれた図１（ａ）の状態では、家具構成板も平面状に折り畳まれて間仕切り構成板に重ねられ、間仕切り構成板が開かれた図３の状態では、間仕切りが床上に自立するとともに家具構成板が立体的に開かれて家具を構成する。【００１１】
このような構造の仮設家具であれば、全体が平面状に折り畳まれるとともに、折り畳まれた状態から開かれて立体化されることにより、間仕切り付きの家具となって床上に自立するものとなる。【００１２】
上記の仮設家具においてはさらに、
・  折り曲げ部をはさんで連結された複数枚の間仕切り構成板のいずれかに、
・  上記家具構成板のうち家具の支持脚となる支持脚構成板と、家具の座板として支持脚上に載る座板構成板とが、それぞれ折り曲げ部をはさんで折り畳まれ得る（また、逆に開かれて立体化し得る）ように連結されている
ものであるとよい。
図２等に例示する仮設家具においても、支持脚構成板２１・２２と座板構成板２３とがそれぞれ折り曲げ部をはさんで折り畳まれ得るよう、間仕切り構成板のいずれかに連結されている。【００１３】
ベッドやトイレ等の家具は、人の体重を支える支持脚の部分と、その支持脚の上に載せられて人の身体と接する座板とによって構成される。そのような支持脚となる支持脚構成板と、座板となる座板構成板とが、上記のとおり、それぞれ折り曲げ部を有する段ボール製の平板により形成されて折り畳まれ得るように連結されていると、前記の好ましい仮設家具を構成できる。すなわち、全体が平面状に折り畳まれるとともに、折り畳まれた状態から開かれて、立体的な間仕切り付きの家具とすることができる。【００１４】
また、とくに、
・  上記の支持脚構成板は、間仕切り構成板のいずれかに対し、当該間仕切り構成板と平行な板と、当該間仕切り構成板から当該平行な板につながる複数の平行な連結板とが、平行運動機構（つまり、平行クランク機構のように平行四辺形をなす４節回転連鎖）をなす（したがって、上記平行な板が、上記間仕切り構成板と平行な状態を保ったまま変位できる）ように連結されていて、
・  上記の座板構成板は、間仕切り構成板のいずれかに対し、当該間仕切り構成板の表面に重なる状態から、当該間仕切り構成板と直角な状態に角度変化できるように連結されている
のが好ましい。
図２等に例示する仮設家具においても、支持脚構成板２１は図２（ａ）のように、平面視した状態で間仕切り構成板１２との間に平行運動機構を構成するように連結され、座板構成板２３は、図２（ｂ）のとおり角度変化できるよう間仕切り構成板１１に連結されている。【００１５】
支持脚構成板と座板構成板とが、間仕切り構成板に対してそのように連結されているなら、前記のとおり折り畳まれた状態と開かれた状態とをともに実現することができる。すなわち、1)間仕切り構成板が平面状に折り畳まれた状態では、家具構成板である支持脚構成板と座板構成板とがともに間仕切り構成板とともに折り畳まれてそれに重ねられ、2)間仕切り構成板が開かれた状態では、家具構成板が、開かれた支持脚構成板上に座板構成板が載せられた立体的な家具を構成するものとなる。【００１６】
発明の仮設家具として、下記のようなベッドを構成するのもよい。すなわち、
・  間仕切り構成板が、１枚の側壁板と、折り曲げ部をはさんで側壁板の両側に連結された前壁板および後壁板とを有し、
・  上記の前壁板および後壁板の、折り曲げられた状態で内側となる各面に、上記の支持脚構成板が連結され、折り曲げられた状態で上記側壁板の内側となる面に、上記の座板構成板が連結されていて、
・  間仕切り構成板が上記各折り曲げ部の挟角を９０°にして（つまり、上記の各板が平面視でコの字状の連結状態になるよう）開かれたとき、a)上記の各支持脚構成板が上記の前壁板および後壁板の内側で開かれて側壁板の側方で立体化するとともに、b)開かれたそれらの支持脚構成板の上に上記座板構成板が載せられることにより、c)間仕切り付きのベッドが形成される
というものである。
図１〜図４に例示している家具は、そのように構成した間仕切り付きのベッドである。間仕切り構成板は、人の平均的な身長を超える程度の長さをもつ側壁板１１と、その両側にある前壁板１２および後壁板１３とが折り曲げ部をはさんで連結されている。また、前壁板１２と後壁板１３の各内側の面に支持脚構成板２１・２２が連結され、側壁板１１の内側の面に座板構成板２３が連結されている。【００１７】
そのような仮設家具（ベッド）は、間仕切り構成板を含めて平面状に折り畳まれるとともに、間仕切り構成板が各折り曲げ部の挟角を９０°にして平面視形状がコの字状になるよう開かれたとき、間仕切り付きのベッドにすることができる。すなわち、支持脚構成板と座板構成板とが折り畳み状態から開かれて立体化されることにより、コの字状の間仕切りの内側に支持脚があってその上に座板が載せられたベッドになる。平面状に折り畳まれた状態から上記のようなベッドにするための過程は、図１（ａ）〜図３に例示したとおりである。【００１８】
上記のベッドにおいて、
・  上記支持脚構成板の上に載せられた上記座板（座板構成板）に高身長の利用者が横たわったときその利用者が足を伸ばせるよう、間仕切り構成板のうち上記の前壁板または後壁板に、足を出せる開口を形成することを可能にする切り取り線が設けられている
と、さらに好ましい。【００１９】
発明による上記の家具（ベッド）は、同一サイズのもの（たとえば、側壁板の長さすなわち前壁板と後壁板との間隔が１８０ｃｍ）として量産されたものを用意しておくのが有利である。同一サイズのものを量産する方がコスト面で有利であり、また、避難所の運営上も、同一サイズのものを多数用意する方が好都合だからである。
しかし、同一サイズのものが用意されているとき、間仕切りの間隔よりも高身長の避難者には、そのままではベッドを利用しづらいことがある。その点、上記のように、前壁板や後壁板に開口形成用の切り取り線が設けられていると、それを利用して開口を形成し、そこから足を出すことによって、高身長の人も楽に横になることができる。【００２０】
上記のベッドにおいて、さらに、
・  間仕切り構成板と家具構成板とが、平面状に折り畳まれた状態で段ボール製のケースに収容され、
・  当該ケースには、収容物（つまり間仕切り構成板および家具構成板）を取り出すために一部を帯状に分離することを可能にする切り取り線が設けられ、
・  その切り取り線にて分離された帯状の一部が、巻き付けられることにより利用者の枕として使用され得るとともに、当該一部が分離された上記のケースが、上記の座板上に敷かれることにより敷き具として使用され得る
ものであると有利である。
図４のケースは、そのように配慮して形成した例であり、その内部に間仕切り構成板と家具構成板とを収容できる一方、その収容物を取り出しやすいよう、帯状の部分を分離できる切り取り線が設けられている。切り取り線から帯状の部分を分離すると、分離されてできた開口から当該収容物を容易に取り出せる。そして、分離した帯状の部分は、巻き付けて避難者用の枕として利用でき、ケースの残りの部分は、大きさを調整（カット等）したうえで敷き具として利用できる。【００２１】
間仕切り構成板と家具構成板とがそのようなケースに収容されるなら、折り畳まれた状態のベッドを避難所となる施設に保管しやすいうえ、実際にベッドを避難者が利用するときにも利用しやすいものとなる。つまり、上記のように枕を利用できることは、避難者が避難所にそれを持参することが希であるために好ましく、ケースを敷き具として利用できることは、ベッドの座板上の平面度を高め、また断熱性を上げるうえで有利である。【００２２】
ベッドとする上記発明の仮設家具は、
・  上記の前壁板および後壁板の上記内側となる各面に上記支持脚構成板が連結され、それら支持脚構成板に、上縁部から下方へ延びたスリットが形成されていて、
・  間仕切り構成板が上記各折り曲げ部の挟角を９０°にして開かれるとともに、上記の支持脚構成板が上記の前壁板および後壁板の内側で開かれたとき、支持脚構成板における上記のスリットに、下縁部から上方へ延びたスリットを有する補強板が挿入されて支持脚構成板と結合される
ものとして構成するのもよい。
そのように構成した仮設家具としてのベッドを図８・図９に例示する。支持脚構成板２１・２２に、上縁部から下方へ延びたスリット２１ｘ・２２ｘが形成されていて、それらのスリットを利用して、下縁部から上方へ延びたスリット２４ｘ・２５ｘ・２６ｘを有する段ボール製の補強板２４・２５・２６が結合される。【００２３】
上記のように支持脚構成板に補強板が結合されると、支持脚構成板の機械的強度が補われるため、そのベッドが、人の体重等をよりしっかりと支え得るものとなる。【００２４】
上記補強板に関しては、とくに、
・  補強板のうち１枚以上が、上記前壁板の上記内側に連結された支持脚構成板と上記後壁板の上記内側に連結された支持脚構成板とにまたがって結合されるなら、さらに好ましい。
図８・図９の例では、補強板２４が、前壁板１２に連結された支持脚構成板２１と後壁板１３に連結された支持脚構成板２２とにまたがるようスリットに挿入され結合されるものである。【００２５】
補強板の１枚以上が、前壁板に連結された支持脚構成板と後壁板に連結された支持脚構成板とにまたがるように挿入されると、それらの各支持脚構成板が当該補強板にて連結されることになる。そのため、間仕切り構成板が各折り曲げ部の挟角を９０°に保ち続ける（つまり、前壁板と後壁板とが平行な状態に固定される）ことができ、避難所等においてその仮設家具が変形したり占有スペースを広げたりする恐れがなくなる。【００２６】
ベッドとする上記発明の仮設家具においては、また、
・  上記の支持脚構成板の上に載せられる上記座板構成板が、長さ方向の中ほどで分割されているのもよい。
図１０・図１１に例示する仮設家具では、座板構成板２３が中央部の切れ目２３ｘによって長さ方向に２分割され、前後２つの座板構成板２３ａ・２３ｂにて構成されている。【００２７】
ベッドの寝床となる座板構成板が上記のように分割されていると、つぎのようなメリットがある。すなわち、
i)  支持脚構成板における複数の板の間にあるスペースは生活用品等の収納のために使用され得るが、座板構成板が上記のように分割されているなら、その出し入れが行いやすい。座板構成板の上に通常載せられている布団や毛布等の寝具を、分割されたいずれかの座板構成板の上に片寄せることにより、他方の座板構成板を持ち上げて上記のスペースを開くことが容易になるからである。
ii)  仮設家具としてのベッドを使用前・使用後に平面状に折り畳む際、その折り畳み方について自由度が増す。すなわち、座板構成板が分割されていない場合には、仮設家具としてのベッドは図１（ａ）のような形に折り畳む以外にないが、座板構成板が図１０（ａ）のように分割されている場合には、図１０（ｂ）および図１１（ａ）のように折り進めて図１１（ｂ）の形に折り畳むことも可能である。そのような形に折り畳むことができると、図１（ａ）の場合よりもコンパクトにすることができ、避難所の施設内に保管するうえで有利である。【００２８】
発明の仮設家具として、下記のようなトイレを構成するのもよい。すなわち、
・  間仕切り構成板が、４枚の壁板が折り曲げ部をはさんで連結されたものであり、各折り曲げ部の挟角を９０°にし、両端にある壁板の外側縁部同士を接続することにより四方囲みの（つまり平面視がロの字状の）間仕切りを構成でき、
・  いずれかの壁板における上記間仕切りの内側となる面に上記の支持脚構成板と穴付きの座板構成板とが連結されていて、当該支持脚構成板が立体的に開かれるとともにその上に上記座板構成板が載せられることにより、間仕切り付きのトイレが形成される
というものである。
図５〜図７に例示の仮設家具は  そのように構成した間仕切り付きのトイレである。間仕切り構成板が４枚の壁板によって四方囲みの間仕切りを構成し、その間仕切りの内側に支持脚構成板と穴付きの座板構成板とが連結されていて、折り畳まれた状態から開かれて立体化されると、間仕切り付きトイレが形成される。【００２９】
そのような仮設家具（トイレ）は、間仕切り構成板を含めて平面状に折り畳まれ得る一方、間仕切り構成板を開いて四方囲みの間仕切りを構成したとき、その間仕切りの内側にトイレを形成することができる。そのトイレは、立体化されることにより支持脚の上に穴付きの座板が載せられたものである。平面状に折り畳まれた状態から上記のような間仕切り付きトイレにするための過程は、図５（ａ）〜図７に例示している。トイレの座板の下（支持脚構成板の内側）には、たとえばバケツや袋を置き、その内部に糞尿の凝固剤を入れるなどしておくとよい。
【発明の効果】
【００３０】
本発明の仮設家具によれば、a)避難所等での一時的な生活のための家具として利用できるとともに、利用者のプライバシーが保たれる、b)段ボール製であるため、扱いやすく低コストでもある、c)平面状に折り畳まれた状態でコンパクトに保管できるとともに、使用の際には、簡単かつ迅速に立体化して使用を開始できる、d)間仕切りと家具とがセットになっているため、手配しやすいうえ、家具と間仕切りとの間のサイズが合わないという心配がない。
【図面の簡単な説明】
【００３１】
【図１】図１（ａ）・（ｂ）は、本発明による仮設家具の第１の実施例である間仕切り付きベッド１を示すもので、折り畳まれて閉じられた状態から次第に開いて立体的にしていく過程を順に示している。
【図２】図２（ａ）・（ｂ）は、図１の間仕切り付きベッド１について、同１（ｂ）の状態からさらに開いて立体的に完成させる過程を順に示す図である。
【図３】図３は、図１の間仕切り付きベッド１について、同２（ｂ）の状態からさらに完成状態に近くした状態を示す図である。
【図４】図４（ａ）・（ｂ）・（ｃ）は、図１の間仕切り付きベッド１を折りたたんだ状態で収容するに適したケース３０と、それより分離される帯状片３１等とを示す斜視図である。
【図５】図５（ａ）・（ｂ）は、本発明による仮設家具の第２の実施例である間仕切り付きトイレ４１を示すもので、折り畳まれて閉じられた状態から次第に開いて立体的にしていく過程を順に示している。
【図６】図６（ａ）・（ｂ）は、図５の間仕切り付きトイレ４１について、同５（ｂ）の状態からさらに開いて立体的に完成させる過程を順に示す図である。
【図７】図７は、図５の間仕切り付きトイレ４１について、同６（ｂ）の状態からさらに完成状態に近くした状態を示す斜視図である。
【図８】図８は、図１〜図３の間仕切り付きベッド１について一部を改変した例を示す斜視図である。ベッド１に組み込む補強板２４・２５・２６も併せて図示している。
【図９】図９は、図８のベッド１に補強板２４・２５・２６を結合させた状態を示す斜視図である。
【図１０】図１０は、図１〜図３の間仕切り付きベッド１について上記とは別の改変を施した例を示す斜視図であり、図１０（ａ）は完成状態の図、図１０（ｂ）はそのベッド１を折り畳み始めた状態を示す図である。
【図１１】図１１（ａ）は、図１０の間仕切り付きベッド１についてさらに折り畳みを進めた状態の斜視図であり、図１１（ｂ）は折り畳み完了時の正面図である。
【発明を実施するための形態】
【００３２】
図１〜図３に示す間仕切り付きベッド１は、段ボールで構成した仮設家具であり、災害発生時の避難所等に設置して避難者に提供するためのものである。災害が未発生の間の保管に便利なように全体を折り畳むことができ、使用の際には、それを開いて立体化させることができる。折り畳まれた状態から立体化させることができるよう、このベッド１は、図１（ａ）のように段ボール製の複数の平板Ａが、折り曲げ部Ｂをはさんで一連に連結されることにより構成されている。折り曲げ部Ｂは、段ボールの一部を薄く加工することにより、または、各平板の間を接着テープ等で接続することにより、折り曲げやすく形成されている。
【００３３】
図示のベッド１は、家具としてのベッドの部分と避難所でのプライバシーを保護するための間仕切りとがひとつながりになっていて、しかも、折り畳まれた状態から開かれるとき、立体絵本のように簡単に立体化することができる、という特徴を有している。
【００３４】
ベッド１の具体的な構造と組み立て手順とを、図１〜図３に基づいて説明する。
ベッド１は、図１（ａ）のように全体が平面状に折り畳まれ得るよう構成されている。間仕切りとベッドとがひとつながりであるため、図示のように折り畳まれた中に、間仕切りとなる間仕切り構成板１２・１３も、家具構成板２１・２３も含まれている。
【００３５】
図１（ｂ）は、折り畳まれていたベッド１を使用可能な状態にすべく、間仕切り構成板１２・１３を少し開いた状態を示す斜視図である。間仕切り構成板１２・１３の各内側にそれぞれ家具構成板２１・２２が取り付けられていて、中央にある間仕切り構成板１１の内側に家具構成板２３が取り付けられている。
【００３６】
図２（ａ）は、折り畳まれていたベッド１をさらに開いてその立体化を進めた状態を示す斜視図である。家具構成板２１・２２は、ベッド１の支持脚となる部分でありそれぞれ支持脚構成板ともいえる部材である。平面状に折り畳まれた状態から図２（ａ）のように平面視で四角形状に開かれ得るよう、家具構成板（支持脚構成板）２１・２２は、平面視状態でいわゆる平行運動機構をなすように連結されている。つまり、間仕切り構成板１２と平行な板２１ａ・２１ｂが、間仕切り構成板１２から当該平行な板２１ａ・２１ｂにつながる２枚の平行な連結板２１ｃ・２１ｄにより連結されていて、上記平行な板２１ａ・２１ｂが、間仕切り構成板１２と平行な状態を保ったまま変位することができる。家具構成板（支持脚構成板）２２も、間仕切り構成板１３に対して同様に平行運動機構をなすように連結されている。
【００３７】
図２（ｂ）は、間仕切り構成板１２・１３を、中央の間仕切り構成板１１に対して直角をなすように開くとともに、間仕切り構成板１２・１３の内側で家具構成板２１・２２を四角形に開いた状態を示している。この状態で、家具構成板２１・２２と間仕切り構成板１１との間を粘着テープ等で連結固定しておくのもよい。
【００３８】
図２（ｂ）の状態にしたベッド１において、中央の間仕切り構成板１１の下方部分に折り曲げ部Ｂを介して連結されている家具構成板２３を、矢印の向きに内側へ倒して家具構成板２１・２２の上に載せると、図３のように間仕切り付きベッド１が出来あがる。家具構成板２１・２２すなわち支持脚構成板の上に、座板となる家具構成板（座板構成板）２３が載り、人が横になれる長方形の寝台となるからである。寝台となる座板構成板２３の下には、支持脚構成板２１・２２の間に物入れとしての収納用空間ができる。また、同時に、中央の間仕切り構成板１１が側壁板、その前後の間仕切り構成板１２・１３が前壁板および後壁板となって、プライバシー保護のための間仕切りが構成される。間仕切りである側壁板と前壁板・後壁板はコの字状に寝台を囲むものだが、同様のベッド１を前後左右に並べて配置するとき、隣接のベッド１の間仕切りとの間にそれぞれプライベートスペースが形成されることになる。
【００３９】
上記の完成した状態が崩れないようにするためには、たとえば、座板構成板２３の前後部分に舌片（図示省略）を設けて間仕切り構成板（前壁板・後壁板）１２・１３に設けたスリット内に差し込むようにしたり、座板構成板２３の側方端の縁部を下方に折り曲げ、支持脚構成板２１・２２の上部に設ける溝に差し込むようにしたりするとよい。
【００４０】
間仕切り付きベッド１は、たとえば、長さ１８０ｃｍ、幅８０ｃｍ、高さ（間仕切りの高さ）８０ｃｍなどとして、同一サイズのものを量産するのがコスト削減の点で有利である。しかし、その場合、身長が１８０ｃｍ程度以上ある避難者のためには、横になって足が伸ばせるようにできると好ましい。
その点を考慮して、図３のように、後壁板である間仕切り構成板１３に、足を出せる開口の形成を容易にするための切り取り線１３ａを設けておくとよい。
【００４１】
また、図１（ａ）のように折り畳まれた状態の未使用のベッド１は、図４のような段ボール製のケース３０に収容しておくのが好ましい。このようなケース３０に入れると、折り畳んだベッド１が勝手に開かれて（拡がって）かさばる状態になることがない。
ケース３０には、収容されているベッド１を取り出しやすいように切り取り線３０ａを設けるが、その切り取り線３０ａは、図４（ａ）・（ｂ）のように一定幅（３０ｃｍ前後）の帯状片を分離できるよう形成しておくとよい。そのようにすると、分離した帯状片３１を、図４（ｃ）のように巻き付けて避難者用の枕とすることができる。また、ケース３０のうち帯状片３１以外の部分は、図３の家具構成板（座板構成板）２３の上に載せて敷き具として使用すると好ましい。
【００４２】
図５（ａ）〜図７は、仮設家具の一例としての間仕切り付きトイレ４１とその組み立て手順とを示す斜視図である。
トイレ４１も段ボール製であり、図５（ａ）のように折り曲げ部Ｂをはさんだ複数枚の平板Ａにより構成され、全体を折り畳んで保管できるとともに、非常時にそれを開いて立体化させて使用することができる。
【００４３】
図５（ａ）は折り畳まれた状態を示しており、平板状に折り畳まれた複数枚の間仕切り構成板５１・５２等の内側に、やはり平板状に折り畳まれた家具（トイレ）構成板がはさまれている。
【００４４】
図５（ｂ）は、一連につながっている４枚の間仕切り構成板５１〜５４を中央の折り曲げ部Ｂで１８０°開いた状態を示している。うち１枚の間仕切り構成板５３に、トイレとなる家具構成板６１・６２等が取り付けられている。
【００４５】
図６（ａ）は、間仕切り構成板５１〜５４について構成板５２・５３間の折り曲げ部Ｂを９０°に開くとともに、折り畳まれていたトイレ用の家具構成板６１等を少し開いた状態を示している。
トイレを構成する家具構成板としては、支持脚となる支持脚構成板６１と、座板となる穴の開いた座板構成板６２と、座板の上に被さるカバー構成板６３とを間仕切り構成板５３に取り付けている。座板構成板６２とカバー構成板６３とは、その一端の縁部を間仕切り構成板５３に連結していて、間仕切り構成板５３に重なった状態からその構成板５３と直角な状態にまで角度変化することができる。そして支持脚構成板６１は、３枚の平板を間仕切り構成板５３との間で四角形断面のボックスを構成し得るように連結したもので、図２の例における支持脚構成板２１・２２と同様、間仕切り構成板５３と３枚の支持脚構成板６１とが、平面視状態で平行運動機構をなしている。
【００４６】
トイレとなる支持脚構成板６１を十分に開いてボックス状にした状態を図６（ｂ）に示す。支持脚構成板６１の上には、その構成板６１に被さる座板構成板６２とカバー構成板６３とがある。また、支持脚構成板６１の底部には、４枚の板が合わさって底板を構成する底部板６４が取り付けられている。底部板６４は、支持脚構成板６１の各平板の下端部に折り曲げ可能に連結されていて、支持脚構成板６１が折り畳まれるとき、それら構成板６１とともに平面状に折り畳まれるものである。トイレとして使用するとき、支持脚構成板６１の内側にバケツ等の容器を置く場合には、必ずしも底部板６４を設けるには及ばない。
【００４７】
支持脚構成板６１と座板構成板６２とは、上に人が腰掛けてもよいだけの十分な強度を付与しておく。そして、座板構成板６２の下、すなわちボックス状の支持脚構成板６１の内側には、たとえばバケツや袋を置くとともに内部に糞尿の凝固剤を入れるなどする。
【００４８】
トイレの部分ができあがると、図７のように、間仕切り構成板５１〜５４を各折り曲げ部の挟角が９０°になるよう折り曲げるとともに両端にある構成板５１・５４の両端部を接続することにより、四方囲みの間仕切りを構成する。接続した構成板５１・５４間を開閉できるようにし、または構成板５１等に開閉可能なドア部分（図示省略）を設ければ、仮設家具としての間仕切り付きトイレ４１が完成する。設置した床の上で動きにくい構成にするためには、間仕切り構成板５１〜５４のいずれかに重し（たとえば水の入ったＰＥＴボトル）を取り付けるなどするとよい。
【００４９】
図８および図９に、図１〜図３の間仕切り付きベッド１について一部を改変した例を示す。この例は、支持脚構成板２１・２２の強度を高めるとともに、支持脚構成板２１・２２の位置と角度を簡単な構成で固定できるようにしたものである。
【００５０】
すなわちこの例では、図８に示すように、支持脚構成板２１・２２の一部にスリット２１ｘ・２２ｘを形成し、それを利用して支持脚構成板２１・２２に補強板２４・２５・２６を結合することとしている。スリット２１ｘ・２２ｘは、支持脚構成板２１・２２のうち前壁板１２と後壁板１３とのそれぞれに対して平行な板２１ａ・２１ｂ・２２ａ・２２ｂに、上縁部から高さの中央部にまで延びたものとして形成している。補強板２４・２５・２６は、段ボール紙で、下縁部から高さの中央部にまで延びたスリット２４ｘ・２５ｘ・２６ｘを、支持脚構成板２１・２２におけるスリット２１ｘ・２２ｘの位置に合うよう形成している。
【００５１】
図８のように、間仕切り構成板１１・１２・１３を挟角が９０°になるまで開いたうえ支持脚構成板２１・２２も角部の挟角が９０°になるよう開いたとき、支持脚構成板２１・２２の上記スリット２１ｘ・２２ｘに、スリット２４ｘ・２５ｘ・２６ｘの位置を合わせて補強板２４・２５・２６を挿入する。そうすることにより、支持脚構成板２１・２２の各板に対し、図９のとおり補強板２４・２５・２６を直角に交差するよう結合させることができ、上縁部の高さも揃えることができる。それにより、支持脚構成板２１・２２の強度が高まり、利用者等の重量をしっかりと支えられるとくに丈夫なベッドとなる。
補強板２５・２６を当初より支持脚構成板２１・２２に含めておくことも不可能ではないが、そのようにすると、折り畳んだときの支持脚構成板２１・２２が分厚くなりかさばってしまうという不都合がある。
【００５２】
上記のうち補強板２４は、支持脚構成板２１・２２の双方に対してまたがるように挿入され結合されるものである。すなわち、補強板２４に形成された一方のスリット２４ｘは支持脚構成板２１上のスリット２１ｘの位置に挿入され、他のスリット２４ｘは支持脚構成板２２上のスリット２２ｘに対して挿入される。支持脚構成板２１と２２とはそれぞれ前壁板１２と後壁板１３とのいずれかに連結されているのみであるから、側壁板１１に接着等するのでなければ、挟角が変化したり位置がずれ動いたりする（たとえば図２（ａ）の状態に変形して広がる）可能性がある。しかし、この補強板２４を使用すると、そのような変形が生じない。したがって、支持脚構成板２１・２２に補強板２４・２５・２６を結合させる際は、最初に補強板２４（すなわち支持脚構成板２１・２２の双方にまたがるもの）を挿入し、その後に補強板２５・２６を挿入するとよい。
なお、図８・図９の例では、上記以外の点においても、間仕切り構成板１１〜１３の高さ（座板構成板２３の寸法との関係）や、支持脚構成板２１・２２の板の枚数など、図１〜図３の例とは細部に関し相違点がある（説明を省略）。
【００５３】
図１０および図１１に、図１〜図３の間仕切り付きベッド１について上記とは別の点を改変した例を示す。この例は、支持脚構成板２１・２２の上に載せる座板構成板２３を、長さの中央位置に設けた分割線２３ｘにて２分割したものである。また、間仕切り構成板（側壁板）１１において切れ目２３ｘの位置に重なる中央位置に、折り曲げ可能な部分１１ｘを設けてもいる。
なお、この例でも、前壁板１２と後壁板１３との幅寸法をやや拡大した点など、詳述しない細部について図１〜図３の例とは多少の相違がある。
【００５４】
図１０（ａ）のように座板構成板２３を分割線２３ｘにて前板２３ａと後ろ板２３ｂとに２分割すると、支持脚構成板２１・２２で構成される生活用品等の収納用空間を開け閉めしやすくなる。座板構成板２３に載せている布団や毛布等を、前板２３ａか後ろ板２３ｂかのいずれかの上に片寄せることによって、他方の座板構成板２３（後ろ板２３ｂか前板２３ａ）を楽に持ち上げることができるからである。それにより、下部の収納用空間に対して生活用品等を出し入れしやすくなる。
【００５５】
また、上記のとおり座板構成板２３を分割し側壁板１１に折り曲げ可能部分１１ｘを設けた場合には、間仕切り付きベッド１を、保管等する際にコンパクトに折り畳むことが可能になる。すなわち、図１０（ｂ）および図１１（ａ）の状態を経て、図１１（ｂ）のような小寸法の状態に簡単に折り畳むことができる。こうしたコンパクトな状態に折り畳むことができると、省スペースであり、避難所とする施設に保管しておくうえで好都合である。
【００５６】
以上、段ボールでできた間仕切り付きのベッドやトイレを仮設家具として例示したが、本発明の仮設家具はこれらに限らず、間仕切り付きの机や長椅子、物入れ等として構成することができる。
【符号の説明】
【００５７】
１  間仕切り付きベッド
１１〜１３  間仕切り構成板
２１・２２  家具構成板（支持脚構成板）
２３  家具構成板（座板構成板）
２４・２５・２６  補強板
４１  間仕切り付きトイレ
５１〜５４  間仕切り構成板
６１〜６４  家具構成板
Ａ  平板
Ｂ  折り曲げ部
【図１】
2020075557.tif 000003
【図２】
2020075557.tif 000004
【図３】
2020075557.tif 000005
【図４】
2020075557.tif 000006
【図５】
2020075557.tif 000007
【図６】
2020075557.tif 000008
【図７】
2020075557.tif 000009
【図８】
2020075557.tif 000010
【図９】
2020075557.tif 000011
【図１０】
2020075557.tif 000012
【図１１】
2020075557.tif 000013
【国際調査報告】
2020075557.tif 000014
2020075557.tif 000015
2020075557.tif 000016
2020075557.tif 000017